(57)【要約】      （修正有）【課題】照明ランプを軽量鉄骨構造の天井構造体以外のところも装着できる様にした、発光ダイオード照明ランプの構造を提供する。【解決手段】発光ダイオード照明ランプ１の構造は、発光ダイオード照明ランプ１及びフレーム２を含む。フレーム２は、囲繞形成してなる収容空間２１を有しており、側壁２２と、側壁における相対する二つの端部から延伸してなる底壁２３及び頂壁２４と、頂壁に連接される固定部２５と、を含む。底壁２３は、収容空間と連通するように囲繞形成してなる収容口２３１を有する。発光ダイオード照明ランプ１は、フレーム２の収容空間に装着され、その一部が収容口に挿入される。フレーム２は固定部２５により作業面に装着される。【選択図】図１
0003177224.tif 000002
【実用新案登録請求の範囲】
【請求項１】
作業面に装着されるための発光ダイオード照明ランプの構造であって、
発光ダイオード照明ランプと、
囲繞形成してなる収容空間を有しており、前記発光ダイオード照明ランプが前記収容空間に装着されるように構成されるフレームと、
を含み、
前記フレームは、
側壁と、
前記側壁の一方の端部から延伸してなるものであり、前記収容空間と連通するように囲繞形成してなる収容口を有し、前記発光ダイオード照明ランプの一部が前記収容口に挿入されるように構成される底壁と、
前記側壁の他方の端部から延伸してなる頂壁と、
前記頂壁に連接しており、前記作業面に装着されるための固定部と、
を含むことを特徴とする発光ダイオード照明ランプの構造。
【請求項２】
前記発光ダイオード照明ランプは、板状の平面光源型のものであり、その外側端部が階段状を呈しており、その外側端部には階面及び前記階面の相対する両側から延伸してなる二つの階段面が形成され、
前記階面は、前記底壁の内表面と対応し、
一方の前記階段面は前記収容口に位置し、他方の前記階段面は前記側壁の内表面に対応することを特徴とする請求項１に記載の発光ダイオード照明ランプの構造。
【請求項３】
前記フレームは、フレーム本体とフレーム部材を備え、
前記フレーム本体には前記収容空間と連通する挿入口が設けられ、
前記発光ダイオード照明ランプは、前記挿入口を介して前記フレーム本体に装着され、
前記フレーム部材は、少なくとも一部が前記フレーム本体に分離可能に装着されることで前記挿入口を遮ることを特徴とする請求項２に記載の発光ダイオード照明ランプの構造。
【請求項４】
前記フレーム部材は、前記フレーム本体における前記挿入口の近傍に枢設されており、前記フレーム本体に回動可能に装着されることで前記挿入口を遮ることを特徴とする請求項３に記載の発光ダイオード照明ランプの構造。
【請求項５】
前記フレームは、フレーム本体と二つのフレーム部材を備え、
前記フレーム本体には前記収容空間と連通する二つの挿入口が設けられ、
前記発光ダイオード照明ランプは、前記二つの挿入口の一方の挿入口を介して前記フレーム本体に装着され、
前記二つのフレーム部材は、少なくとも一部が前記フレーム本体に分離可能に装着されることで前記二つの挿入口を遮ることを特徴とする請求項２に記載の発光ダイオード照明ランプの構造。
【請求項６】
前記二つのフレーム部材は、前記フレーム本体における前記二つの挿入口の近傍に枢設されており、前記フレーム本体に回動可能に装着されることで前記二つの挿入口を遮ることを特徴とする請求項５に記載の発光ダイオード照明ランプの構造。
【請求項７】
前記二つのフレーム部材の回動方向は、時計回り方向又は逆時計回り方向であることを特徴とする請求項６に記載の発光ダイオード照明ランプの構造。
【請求項８】
前記固定部は、前記フレーム本体における相対する頂壁に連接されることを特徴とする請求項３〜７に記載の発光ダイオード照明ランプの構造。
【請求項９】
前記頂壁は、前記収容口と連通するように囲繞形成してなる開口を有し、
前記固定部は、前記開口を面積が等しい複数のブロックに仕切ることを特徴とする請求項８に記載の発光ダイオード照明ランプの構造。
【請求項１０】
前記フレームは、互いに装着するための四つのフレーム部材を有し、
前記四つのフレーム部材における相対する少なくとも二つの頂壁には、延伸してなる前記固定部が形成されることを特徴とする請求項２に記載の発光ダイオード照明ランプの構造。
【考案の詳細な説明】
【技術分野】
【０００１】
本考案は、発光ダイオード照明ランプの構造に関し、特に取付位置が軽量鉄骨構造の天井構造体に限定されるものではない発光ダイオード照明ランプの構造に関するものである。
【背景技術】
【０００２】
本考案の出願人は、特許文献１に係る照明ランプを既に開発した。その照明ランプの構造は、軽量化且つ小型薄型化の効果を奏することができるため、壁内部の管路又は構造による制限を低減することができる。
【先行技術文献】
【特許文献】
【０００３】
【特許文献１】台湾実用新案公告第Ｍ４０７９９５号公報
【考案の概要】
【考案が解決しようとする課題】
【０００４】
しかしながら、上述の照明ランプを軽量鉄骨構造の天井構造体以外のところに装着する場合、照明ランプ自体の構造による設置制限が生ずるという問題点が存在する。そこで、本考案の出願人は、上述の問題点を改善するために、鋭意検討を行なった結果、上述の問題点を有効に解決することができる、有利な構成を有する本考案を完成するに至った。
【０００５】
本考案は、着脱しやすい、且つ取付位置の制限を低減できる発光ダイオード照明ランプの構造を提供することを課題とする。
【課題を解決するための手段】
【０００６】
本考案に係る発光ダイオード照明ランプの構造は、作業面に装着されるためのものである。発光ダイオード照明ランプの構造は、発光ダイオード照明ランプと、囲繞形成してなる収容空間を有しており、前記発光ダイオード照明ランプが前記収容空間に装着されるように構成されるフレームと、を含む。前記フレームは、側壁と、前記側壁の一方の端部から延伸してなるものであり、前記収容空間と連通するように囲繞形成してなる収容口を有し、前記発光ダイオード照明ランプの一部が前記収容口に挿入されるように構成される底壁と、前記側壁の他方の端部から延伸してなる頂壁と、前記頂壁に連接しており、前記作業面に装着されるための固定部と、を含む。
【考案の効果】
【０００７】
上述したように、本考案に係る発光ダイオード照明ランプの構造は、フレームにより発光ダイオード照明ランプを作業面に装着することによって、発光ダイオード照明ランプの取付による設置制限を低減することができる。
【図面の簡単な説明】
【０００８】
【図１】本考案に係る発光ダイオード照明ランプの構造の第１の実施例の立体模式図を示すものである。
【図２】本考案に係る発光ダイオード照明ランプの構造の第１の実施例の断面模式図を示すものである。
【図３】本考案に係る発光ダイオード照明ランプの構造の第１の実施例の第１の平面模式図を示すものである。
【図４】本考案に係る発光ダイオード照明ランプの構造の第１の実施例の第２の平面模式図を示すものである。
【図５】本考案に係る発光ダイオード照明ランプの構造の第１の実施例の第２の立体図を示すものである。
【図６】本考案に係る発光ダイオード照明ランプの構造の第１の実施例の第３の立体模式図を示すものである。
【図７】本考案に係る発光ダイオード照明ランプの構造の第１の実施例の第４の立体模式図を示すものである。
【図８】本考案に係る発光ダイオード照明ランプの構造の第２の実施例の立体模式図を示すものである。
【図９】本考案に係る発光ダイオード照明ランプの構造の第２の実施例の平面模式図を示すものである。
【図１０】本考案に係る発光ダイオード照明ランプの構造の第３の実施例の立体模式図を示すものである。
【考案を実施するための形態】
【０００９】
以下、本明細書と図面に開示された本考案の実施形態は、本考案の技術内容をより分かりやすく説明し、本考案の理解を助けるために実施例を挙げたことに過ぎず、本考案の範囲を限定するものではない。ここに開示された実施形態以外にも、本考案の技術的思想に基づく他の変形例も実施可能であることは、本考案の属する技術分野における当業者に自明なことである。
【００１０】
（第１の実施例）
図１〜図７を参照しながら説明する。発光ダイオード照明ランプの構造１００は、作業面３（例えば、天井、壁面など）に装着されるためのものである。発光ダイオード照明ランプの構造１００は、発光ダイオード照明ランプ１及びフレーム２を含む。また、発光ダイオード照明ランプ１は、特許文献１に係る照明ランプを例として説明するが、これに限定されるものではない。
【００１１】
図１と図２を参照しながら説明する。発光ダイオード照明ランプ１は、板状の平面光源型のものであり、その外側端部が階段状を呈しており、その外側端部には階面１１及び階面１１の相対する両側から延伸してなる二つの階段面１２が形成される。
【００１２】
フレーム２は、囲繞形成してなる収容空間２１を有する。フレーム２は、矩形環状の側壁２２と、側壁２２の一方の端部（側壁２２の底縁）から延伸してなる矩形環状の底壁２３と、側壁２２の他方の端部（側壁２２の頂縁）から延伸してなる矩形環状の頂壁２４と、頂壁２３に連接する固定部２５と、を含む。フレーム２は、固定部２５により作業面３に装着される。
【００１３】
底壁２３は、囲繞形成してなる収容口２３１を有する。頂壁２４は、囲繞形成してなる開口２４１を有する。収容口２３１と開口２４１は収容空間２１にそれぞれ連通する。
【００１４】
これにより、発光ダイオード照明ランプ１をフレーム２の収容空間２１に装着すると共に発光ダイオード照明ランプ１の一部を収容口２３１に挿入することによって、発光ダイオード照明ランプ１の階面１１を底壁２３の内表面に対応させ、一方の階段面１２を収容口２３１に位置させ、他方の階段面１２を側壁２２の内表面に対応させる。
【００１５】
詳しく説明すると、フレーム２は、フレーム本体２６及びフレーム部材２７を備える。即ち、フレーム２の側壁２２、底壁２３及び頂壁２４は、フレーム本体２６とフレーム部材２７に区分される。
【００１６】
フレーム本体２６の外見は、ほぼＵ形状を呈しており、その相対する両側の端部には収容空間２１と連通する挿入口２６１が形成される。発光ダイオード照明ランプ１は挿入口２６１を介してフレーム本体２６に装着される。
【００１７】
フレーム部材２７は、長尺状を呈しており、その一部がフレーム本体２６に分離可能に（又は回動可能に）装着されることで挿入口２６１を遮る。言い換えれば、フレーム部材２７とフレーム本体２６は、複数の組立態様を有する。以下、四つの組立態様を説明する。
【００１８】
図１は第１の態様を示す。フレーム部材２７の一側（フレーム部材２７の左側）がフレーム本体２６の一方の端部に枢設され、フレーム本体２６の他方の端部に組み立てられる（例えば、フレーム本体２６の他方の端部に締め付けられる）ようにフレーム部材２７の他側（フレーム部材２７の右側）をフレーム本体２６の他方の端部へ移動させる。
【００１９】
図３は第２の態様を示す。フレーム部材２７の両側の底部がフレーム本体２６の両側の端部に枢設され、フレーム本体２６の両側端部の頂部に組み立てられる（例えば、フレーム本体２６の両側端部の頂部に締め付けられる）ようにフレーム部材２７の両側の頂部をフレーム本体２６の両側端部の頂部へ移動させる。
【００２０】
図４は第３の態様を示す。フレーム部材２７の両側の頂部がフレーム本体２６の両側端部の頂部に枢設され、フレーム本体２６の両側端部の底部に組み立てられる（例えば、フレーム本体２６の両側端部の底部に締め付けられる）ようにフレーム部材２７の両側の底部をフレーム本体２６の両側端部の底部へ移動させる。
【００２１】
図５は第４の態様を示す。フレーム部材２７の両側はフレーム本体２６の両側の端部から離れるようにしている。即ち、フレーム部材２７の両側はフレーム本体２６の両側端部の底部に組み立てられる（例えば、フレーム本体２６の両側端部の底部に締め付けられる）。
【００２２】
また、固定部２５は、複数の組立態様を有する。以下、二つの態様を説明する。
【００２３】
図１は、第１の態様を示す。固定部２５は、長尺状の板体であり、その両側がフレーム本体２６における相対する頂壁２４にそれぞれ連接する。固定部２５は、開口２４１を面積が等しい二つのブロックに仕切る。また、固定部２５には、固定エレメント４（例えばねじなど）を通過させることで固定部２５を作業面３（図２に示すように）に固定するための少なくとも一つの貫通孔２５１が設けられる。また、開口２４１を面積が等しい複数のブロックに仕切るように、固定部２５は複数の長尺状の板体（図６に示すように）であってもよい。
【００２４】
図７は、第２の態様を示す。固定部２５は、フレーム本体２６における相対する頂壁２４にそれぞれ連接すると共に間隔を置く二つのプレート体である。各プレート体には、固定エレメント４（例えばねじなど）を通過させることで固定部２５を作業面３に固定するための少なくとも一つの貫通孔２５１が設けられる。
【００２５】
また、上記の説明において、固定部２５をフレーム本体２６に連接することを例として説明したが、本実施例の「連接」は、半田付け、かしめる方式、直接延伸、又は他の連接方式などを含む。
【００２６】
（第２の実施例）
図８と図９を参照しながら説明する。以下、第１の実施例と同じ部分の説明を省略し、第１の実施例との相違点のみを説明する。
【００２７】
図８に示すように、フレーム２は、フレーム本体２６及び二つのフレーム部材２７を備える。即ち、フレーム２の側壁２２、底壁２３及び頂壁２４は、フレーム本体２６とフレーム部材２７に区分される。
【００２８】
フレーム本体２６と固定部２５はＩ形状を呈するように互いに連接する。フレーム本体２６には収容空間２１と連通する二つの挿入口２６１が設けられる。発光ダイオード照明ランプ１は、二つの挿入口２６１のうちの一つの挿入口２６１を介してフレーム本体２６に装着される。
【００２９】
各フレーム部材２７とフレーム本体２６の連接関係は第１の実施例の第４の態様と同じであるため、その説明を省略する。
【００３０】
また、各フレーム部材２７とフレーム本体２６の連接関係は第１の実施例の第１〜第３の態様のようにしてもよい。また、図９に示すように、二つのフレーム部材２７がフレーム本体２６における二つの挿入口２６１の近傍にそれぞれ枢設されるため、二つのフレーム部材２７がフレーム本体２６に回動可能に装着されることで二つの挿入口２６１を遮ることができる。また、二つのフレーム部材２７の回動方向は、時計回り方向でもよく、逆時計回り方向でもよい。
【００３１】
（第３の実施例）
図１０を参照しながら説明する。以下、第１の実施例と同じ部分の説明を省略し、第１の実施例との相違点のみを説明する。
【００３２】
フレーム２は、互いに装着するための四つのフレーム部材２７を備える。即ち、フレーム２の側壁２２、底壁２３及び頂壁２４は、四つのフレーム部材２７に区分される。相対する二つのフレーム部材２７の頂壁２４には第１の実施例の第２の態様における固定部に類似する固定部２５が連接形成される。
【００３３】
（各実施例の効果）
本考案に係る発光ダイオード照明ランプの構造は、発光ダイオード照明ランプをフレームの内部に装着することによって、発光ダイオード照明ランプがフレームを介して任意の平面に装着されることができるため、従来技術による軽量鉄骨構造の天井構造体に制限されるような欠点を解消することができる。
【００３４】
上述したものは本考案の好ましい一例に過ぎず、本考案の実用新案登録請求の範囲を限定するものではない。本考案の明細書及び図面内容に基づいてなされた均等な変更および付加は、いずれも本考案の実用新案登録請求の範囲内に含まれるものとする。
【符号の説明】
【００３５】
１００  発光ダイオード照明ランプの構造
１      発光ダイオード照明ランプ
１１    階面
１２    階段面
２      フレーム
２１    収容空間
２２    側壁
２３    底壁
２３１  収容口
２４    頂壁
２４１  開口
２５    固定部
２５１  貫通孔
２６    フレーム本体
２６１  挿入口
２７    フレーム部材
３      作業面
４      固定エレメント
【図１】
0003177224.tif 000003
【図２】
0003177224.tif 000004
【図３】
0003177224.tif 000005
【図４】
0003177224.tif 000006
【図５】
0003177224.tif 000007
【図６】
0003177224.tif 000008
【図７】
0003177224.tif 000009
【図８】
0003177224.tif 000010
【図９】
0003177224.tif 000011
【図１０】
0003177224.tif 000012